(57)【要約】【課題】店頭に展示されている機器あるいは購入直後の機器においても番組の推薦を行うことができる情報処理装置および推薦番組表示方法を提供する。【解決手段】実施形態の情報処理装置は、記憶制御部と、取得部と、表示制御部と、を備える。記憶制御部は、番組に関わる操作履歴を記憶部に記憶する。取得部は、予め設定されたタイミングで、記憶部に記憶した操作履歴に基づいてユーザの嗜好情報を取得する。表示制御部は、嗜好情報に基づく番組を推薦番組として選択し、選択した推薦番組を表示部に表示させる。また、表示制御部は、操作履歴の数が予め設定された数より少ない場合、所定の条件を満たす番組を推薦番組として選択する。【選択図】図２
2014050053.tif 000002
【特許請求の範囲】
【請求項１】
番組に関わる操作履歴を記憶部に記憶する記憶制御部と、
予め設定されたタイミングで、前記記憶部に記憶した前記操作履歴に基づいてユーザの嗜好情報を取得する取得部と、
前記嗜好情報に基づく番組を推薦番組として選択し、選択した前記推薦番組を表示部に表示させる表示制御部と、を備え、
前記表示制御部は、前記操作履歴の数が予め設定された数より少ない場合、所定の条件を満たす番組を前記推薦番組として選択する情報処理装置。
【請求項２】
前記表示制御部は、前記操作履歴の数が増えるに従い、前記推薦番組として選択する前記嗜好情報に基づく番組の数を増やす請求項１に記載の情報処理装置。
【請求項３】
前記表示制御部は、前記操作履歴の数が増えるに従い、前記推薦番組として選択する前記嗜好情報に基づく番組の数の比率を上げる請求項１または２に記載の情報処理装置。
【請求項４】
前記表示制御部は、前記操作履歴の数が前記予め設定された数より少ない場合、同時録画した複数チャンネルの番組のうち最新に録画した所定数の番組を前記推薦番組として選択する請求項１から３のいずれか一に記載の情報処理装置。
【請求項５】
前記表示制御部は、前記操作履歴の数が前記予め設定された数より少ない場合、前記表示部に最後に表示された番組に関連する番組を前記推薦番組として選択する請求項１から４のいずれか一に記載の情報処理装置。
【請求項６】
前記表示制御部は、前記操作履歴の数が前記予め設定された数より少ない場合、他のユーザの嗜好情報に基づく番組を取得し、取得した番組を前記推薦番組として選択する請求項１から５のいずれか一に記載の情報処理装置。
【請求項７】
情報処理装置で実行される推薦番組表示方法であって、
前記情報処理装置は、
記憶制御部が、番組に関わる操作履歴を記憶部に記憶する過程と、
取得部が、予め設定されたタイミングで、前記記憶部に記憶した前記操作履歴に基づいてユーザの嗜好情報を取得する過程と、
表示制御部が、前記嗜好情報に基づく番組を推薦番組として選択し、選択した前記推薦番組を表示部に表示させる過程と、を含み、
前記表示制御部は、前記操作履歴の数が予め設定された数より少ない場合、所定の条件を満たす番組を前記推薦番組として選択する推薦番組表示方法。
【請求項８】
番組に関わる操作履歴を記憶部に記憶する記憶制御部と、
予め設定されたタイミングで、前記記憶部に記憶した前記操作履歴に基づいてユーザの嗜好情報を学習する学習部と、
前記記憶部に記憶した前記操作履歴と前記学習部により学習した前記嗜好情報とに基づいて前記嗜好情報の学習度合いを算出する算出部と、
学習した前記嗜好情報に基づく番組を選択する第１選択部と、
学習した前記嗜好情報とは異なる情報に基づいて番組を選択する第２選択部と、
前記第１選択部により選択した番組および前記第２選択部により選択した番組から、算出した前記学習度合いに基づいて、ユーザに提示する番組を推薦番組として選択して前記表示部に表示させる表示制御部と、
を備えた情報処理装置。
【発明の詳細な説明】
【技術分野】
【０００１】
本発明の実施形態は、情報処理装置および推薦番組表示方法に関する。
【背景技術】
【０００２】
視聴対象の番組に関わる操作履歴を記録し、記録した操作履歴から視聴者の嗜好を学習し、この学習した嗜好に基づいて視聴者に対する番組の推薦を行う技術が開示されている。
【先行技術文献】
【特許文献】
【０００３】
【特許文献１】特開２００８−００５２００号公報
【発明の概要】
【発明が解決しようとする課題】
【０００４】
しかしながら、従来技術においては、視聴対象の番組に関わる操作履歴が十分に記録されていない場合若しくは記録された操作履歴に基づく視聴者の嗜好の学習が行われていない場合、例えば店頭に展示されている機器あるいは購入直後の機器においては番組の推薦を行うことができない、という課題がある。
【０００５】
本発明は、上記に鑑みてなされたものであって、店頭に展示されている機器あるいは購入直後の機器においても番組の推薦を行うことができる情報処理装置および推薦番組表示方法を提供することを目的とする。
【課題を解決するための手段】
【０００６】
実施形態の情報処理装置は、記憶制御部と、取得部と、表示制御部と、を備える。記憶制御部は、番組に関わる操作履歴を記憶部に記憶する。取得部は、予め設定されたタイミングで、記憶部に記憶した操作履歴に基づいてユーザの嗜好情報を取得する。表示制御部は、嗜好情報に基づく番組を推薦番組として選択し、選択した推薦番組を表示部に表示させる。また、表示制御部は、操作履歴の数が予め設定された数より少ない場合、所定の条件を満たす番組を推薦番組として選択する。
【図面の簡単な説明】
【０００７】
【図１】図１は、本実施形態にかかるデジタルテレビジョンの一例を示す外観斜視図である。
【図２】図２は、本実施形態にかかるデジタルテレビジョンが有する機能を示すブロック図である。
【図３】図３は、本実施形態にかかるデジタルテレビジョンにおいて推薦番組を表示する処理の流れを示すフローチャートである。
【図４】図４は、本実施形態にかかるデジタルテレビジョンにおける推薦番組の表示例を示す図である。
【発明を実施するための形態】
【０００８】
以下、添付図面を参照して本実施形態にかかる情報処理装置および推薦番組表示方法について説明する。なお、本実施形態では、デジタルテレビジョンについて説明するが、番組に関わる処理の操作履歴に基づいてユーザの嗜好情報を取得し、取得した嗜好情報に基づく番組を表示部に表示させる機能を有する情報処理装置であれば、例えばレコーダ等であっても良い。
【０００９】
図１は、本実施形態にかかるデジタルテレビジョンの一例を示す外観斜視図である。図１に示すように、デジタルテレビジョン１００は、前方から見た正面視（前面に対する平面視）で、長方形状の外観を呈している。デジタルテレビジョン１００は、筐体２と、ＬＣＤ（Liquid  Crystal  Display）パネル３を備えている。ＬＣＤパネル３は、後述する推薦番組提示部１１６（図２参照）から映像信号を受け取り、静止画や動画等の映像を表示する表示部である。また、筐体２は、支持部４に支持されている。
【００１０】
図２は、本実施形態にかかるデジタルテレビジョンが有する機能を示すブロック図である。図２に示すように、本実施形態にかかるデジタルテレビジョン１００は、ユーザ操作入力部１０１、ユーザ操作処理部１０２、操作履歴管理部１０３、操作履歴記憶部１０４、個人嗜好学習部１０５、個人嗜好学習結果管理部１０６、学習結果記憶部１０７、推薦番組取得部１０８、推薦番組選択部１０９、学習度合い算出部１１０、操作履歴情報取得部１１１、個人嗜好学習情報取得部１１２、個人嗜好推薦番組選択部１１３、番組情報記憶部１１４、非個人嗜好推薦番組選択部１１５および推薦番組提示部１１６を備えている。なお、操作履歴記憶部１０４、学習結果記憶部１０７および番組情報記憶部１１４は、ＨＤＤ（Hard  Disk  Drive）、光ディスク、メモリカード、ＲＡＭ（Random  Access  Memory）などの一般的に利用されている記憶媒体により構成される。
【００１１】
ユーザ操作入力部１０１は、リモートコントローラ、タブレット端末等から、放送番組に関わる操作（ユーザ操作）の指示（以下、ユーザ操作指示という）を受け取る。例えば、ユーザ操作入力部１０１は、放送番組の録画予約、録画、再生、視聴などの各種処理を指示するユーザ操作指示を受け取る。
【００１２】
ユーザ操作処理部１０２は、ユーザ操作入力部１０１により受け取ったユーザ操作指示に応じて、放送番組の録画予約、録画、再生、視聴などの各種処理を行う。また、ユーザ操作処理部１０２は、ユーザ操作入力部１０１により受け取ったユーザ操作指示を、操作履歴管理部１０３に送る。
【００１３】
なお、本実施形態では、デジタルテレビジョン１００は、複数チャンネルの放送番組を長時間自動同時録画する長時間自動同時録画機能を有しており、後述する推薦番組として長時間自動同時録画機能によって録画された番組を用いることができる。ただし、後述する推薦番組とする番組は、長時間自動同時録画機能によって録画された番組に限定するものではなく、例えば、番組表情報に基づく将来放送予定の番組でも良いし、通常の番組指定録画により録画された番組でも良いし、デジタルテレビジョン１００が接続されたネットワーク上にあるデジタルテレビジョンやＰＣ（Personal  Computer）などの外部機器に保存されている番組のうちデジタルテレビジョン１００によって操作可能（取得可能）な番組であっても良い。
【００１４】
また、本実施形態では、ユーザ操作処理部１０２は、ユーザ操作入力部１０１により受け取ったユーザ操作指示が、ユーザに推薦する番組（以下、推薦番組という）の提示（表示）を指示するものである場合、推薦番組取得部１０８に対して推薦番組の一覧の取得を指示する。
【００１５】
操作履歴管理部１０３は、ユーザ操作処理部１０２からユーザ操作指示を受け取り、受け取ったユーザ操作指示（例えば、上述した放送番組の録画予約、録画、再生、視聴などの各種処理を指示する操作指示）の履歴を操作履歴として操作履歴記憶部１０４に記憶させる記憶制御部として機能する。本実施形態では、操作履歴管理部１０３は、操作履歴とともに、当該操作履歴に係るユーザ操作指示を受け取った操作日時を含む操作履歴情報を操作履歴記憶部１０４に記憶させる。また、操作履歴管理部１０３は、操作前または操作時にユーザを識別するＩＤ（以下、ユーザＩＤという）を指定することで、操作を行ったユーザの情報として、指定されたユーザＩＤを含む操作履歴情報を操作履歴記憶部１０４に記憶させることも可能である。
【００１６】
個人嗜好学習部１０５は、予め設定された取得タイミングで、操作履歴管理部１０３を介して操作履歴記憶部１０４から操作履歴を取得し、取得した操作履歴に基づいてユーザの嗜好情報を学習（取得）する取得部として機能する。例えば、個人嗜好学習部１０５は、予め設定された日時または予め設定された期間毎に、操作履歴記憶部１０４から操作履歴を取得し、取得した操作履歴に基づいてユーザの嗜好情報を取得する。そして、個人嗜好学習部１０５は、学習したユーザの嗜好情報を個人嗜好学習結果管理部１０６に送る。
【００１７】
個人嗜好学習結果管理部１０６は、個人嗜好学習部１０５により学習したユーザの嗜好情報とともに、当該ユーザの嗜好情報が学習された学習日時を含む個人嗜好学習情報を学習結果記憶部１０７に記憶させる。
【００１８】
推薦番組取得部１０８、推薦番組選択部１０９、学習度合い算出部１１０、操作履歴情報取得部１１１、個人嗜好学習情報取得部１１２、個人嗜好推薦番組選択部１１３、非個人嗜好推薦番組選択部１１５および推薦番組提示部１１６は、個人嗜好学習部１０５により学習（取得）されたユーザの嗜好情報に基づく番組を推薦番組として選択し、選択した推薦番組をＬＣＤパネル３に表示させる表示制御部として機能する。
【００１９】
ここで、図２および図３を用いて、推薦番組取得部１０８、推薦番組選択部１０９、学習度合い算出部１１０、操作履歴情報取得部１１１、個人嗜好学習情報取得部１１２、個人嗜好推薦番組選択部１１３、番組情報記憶部１１４、非個人嗜好推薦番組選択部１１５および推薦番組提示部１１６の詳細について説明する。図３は、本実施形態にかかるデジタルテレビジョンにおいて推薦番組を表示する処理の流れを示すフローチャートである。
【００２０】
ユーザ操作処理部１０２から推薦番組の一覧の取得が指示されると、推薦番組取得部１０８は、推薦番組選択部１０９に対してユーザの嗜好情報に応じて推薦番組を選択するように指示する。すると、推薦番組選択部１０９は、学習度合い算出部１１０に対して学習度合いの算出を指示する。ここで、学習度合いとは、個人嗜好学習部１０５により学習されたユーザの嗜好情報の精度、すなわち、ユーザの嗜好情報が十分な操作履歴を用いて学習された信頼性の高いものであるか否かを表す。本実施形態では、学習度合いは、ユーザの嗜好情報の学習に用いた操作履歴の数を予め設定された閾値で除算した値である。なお、本実施形態では、ユーザの嗜好情報の学習に用いた操作履歴の数を予め設定された閾値で除算した値を学習度合いとしているが、これに限定するものではなく、例えば、嗜好情報が初めて学習された直後は、予め設定されている初期学習度合いを学習度合いとし、その後、推薦番組の選択回数に対して嗜好情報に基づく推薦番組が操作される回数が多くなるに従い学習度合いを高くし、推薦番組の選択回数に対して嗜好情報に基づく推薦番組が操作される回数が少なくなるに従い学習度合いを低くしても良い。
【００２１】
学習度合いの算出が指示されると、学習度合い算出部１１０は、まず、操作履歴情報取得部１１１に対して操作履歴情報の取得を指示する。操作履歴情報取得部１１１は、操作履歴管理部１０３を介して、操作履歴記憶部１０４から最も古い操作日時を含む操作履歴情報を取得する（ステップＳ３０１）。また、学習度合い算出部１１０は、個人嗜好学習情報取得部１１２に対して個人嗜好学習情報の取得を指示する。個人嗜好学習情報取得部１１２は、個人嗜好学習結果管理部１０６を介して、学習結果記憶部１０７から最後に嗜好情報の学習が行われた学習日時（直近の学習日時）を含む個人嗜好学習情報を取得する（ステップＳ３０２）。
【００２２】
次に、学習度合い算出部１１０は、操作履歴情報取得部１１１に対して、取得した直近の学習日時よりも前の操作日時に記憶された操作履歴の件数の取得を指示する。操作履歴情報取得部１１１は、操作履歴記憶部１０４に記憶された操作履歴のうち、個人嗜好学習情報取得部１１２により取得された直近の学習日時よりも前の操作日時を含む操作履歴情報とともに記憶された操作履歴の件数を取得する（ステップＳ３０３）。さらに、学習度合い算出部１１０は、個人嗜好学習情報取得部１１２に対して、取得した直近の学習日時を含む個人嗜好学習情報とともに記憶された嗜好情報の取得を指示する。個人嗜好学習情報取得部１１２は、個人嗜好学習結果管理部１０６を介して、学習結果記憶部１０７から、直近の学習日時を含む個人嗜好学習情報とともに記憶された嗜好情報を取得する（ステップＳ３０３）。
【００２３】
次いで、学習度合い算出部１１０は、学習度合いの算出を行う（ステップＳ３０４）。具体的には、学習度合い算出部１１０は、操作履歴情報取得部１１１により取得した操作履歴情報が含む操作日時と、個人嗜好学習情報取得部１１２により取得した個人嗜好学習情報が含む学習日時と、を比較する。そして、学習度合い算出部１１０は、学習日時が操作日時よりも前の日時である場合には、学習実行時に操作履歴が記憶されていなかったこととなるため、学習度合いとしてゼロとし、嗜好情報の学習が行われていない状態とする。一方、学習度合い算出部１１０は、学習日時が操作日時よりも後の日時である場合には、操作履歴情報取得部１１１により取得した操作履歴の件数を予め設定された閾値で除算した値を学習度合いとして算出する。
【００２４】
推薦番組選択部１０９は、学習度合い算出部１１０により算出された学習度合いに基づいて、嗜好情報が学習済みであるか否かを判断する（ステップＳ３０５）。算出された学習度合いがゼロでない場合、嗜好情報が学習済みと判断して（ステップＳ３０５：Ｙｅｓ）、推薦番組選択部１０９は、個人嗜好推薦番組選択部１１３に推薦番組の選択を指示する。個人嗜好推薦番組選択部１１３は、個人嗜好学習結果管理部１０６から個人嗜好学習情報を取得し、番組情報記憶部１１４に番組情報が記憶された番組の中から、取得された嗜好情報に基づく番組を選択する（ステップＳ３０６）。次いで、推薦番組選択部１０９は、学習度合い算出部１１０により算出された学習度合いに基づいて、嗜好情報の学習が十分であるか否かを判断する（ステップＳ３０７）。具体的には、推薦番組選択部１０９は、学習度合い算出部１１０により算出された学習度合いが１以上である場合には、嗜好情報の学習が十分であると判断する。すなわち、推薦番組選択部１０９は、操作履歴情報取得部１１１により取得した操作履歴の件数が予め設定された閾値以上である場合、嗜好情報の学習が十分であると判断する。
【００２５】
そして、嗜好情報が学習済みでないと判断した場合（ステップＳ３０５：Ｎｏ）または嗜好情報の学習が十分でないと判断した場合（ステップＳ３０７：Ｎｏ）、推薦番組選択部１０９は、非個人嗜好推薦番組選択部１１５に嗜好情報に基づかない推薦番組の選択を指示する。非個人嗜好推薦番組選択部１１５は、番組情報記憶部１１４に番組情報が記憶された番組の中から、嗜好情報に基づかずに所定の条件を満たす番組を選択する（ステップＳ３０８）。具体的には、非個人嗜好推薦番組選択部１１５は、長時間自動同時録画機能により録画した複数チャンネルの番組のうち最新に録画した所定数（例えば、５０個など）の番組を選択する。また、非個人嗜好推薦番組選択部１１５は、ＬＣＤパネル３に最後に表示された番組に関連する番組を選択しても良い。また、非個人嗜好番組選択部１１５は、他のユーザの嗜好情報に基づく番組を図示しないネットワークで接続された他のデジタルテレビジョン等の外部機器等から取得し、取得した番組を選択しても良い。本実施形態では、非個人嗜好推薦番組選択部１１５は、以上の３つの選択方法のうち少なくとも１つの選択方法を用いて、嗜好情報に基づかずに所定の条件を満たす番組の選択を行う。なお、非個人嗜好推薦番組選択部１１５は、上述した３つの選択方法に限定されず、例えば、長時間自動同時録画した複数チャンネルの番組のうち他のデジタルテレビジョンにおいておすすめ番組に設定された番組、放送番組を配信するサーバにおいておすすめ番組に設定された番組などを、嗜好情報に基づかずに所定の条件を満たす番組として選択しても良い。
【００２６】
推薦番組選択部１０９は、学習度合い算出部１１０により算出された学習度合いに応じて、個人嗜好推薦番組選択部１１３により選択された番組および非個人嗜好推薦番組選択部１１５により選択された番組の中からユーザに提示する推薦番組を選択する（ステップＳ３０９）。具体的には、推薦番組選択部１０９は、算出された学習度合いが１以上であり、嗜好情報の学習が十分であると判断された場合、個人嗜好推薦番組選択部１１３により選択された番組を、ユーザに提示する推薦番組として選択する。
【００２７】
一方、推薦番組選択部１０９は、算出された学習度合いが１未満である場合（すなわち、取得した操作履歴の件数が予め設定された数より少ない場合）、取得した操作履歴の件数が増えるに従い、推薦番組として選択する嗜好情報に基づく番組の数を増やす。また、推薦番組選択部１０９は、取得した操作履歴の件数が予め設定された数より少ない場合、取得した操作履歴の件数が増えるに従い、推薦番組として選択する嗜好情報に基づく番組の数の比率を上げる。具体的には、推薦番組選択部１０９は、算出された学習度合いが１未満である場合、推薦番組として選択可能な最大の番組数（以下、最大番組数という）に対して学習度合いを比率として乗算して得られた数だけ、個人嗜好推薦番組選択部１１３により選択された番組を選択し、残りの番組の数だけ、非個人嗜好推薦番組選択部１１５により選択された番組から選択する。例えば、算出された学習度合いが０．７であり、最大番組数が５０件である場合、推薦番組選択部１０９は、５０件×０．７＝３５件分を、個人嗜好推薦番組選択部１１３により選択された番組から選択し、残りの５０−３５＝１５件分を、非個人嗜好推薦番組選択部１１５により選択された番組から選択する。
【００２８】
すなわち、算出された学習度合いが１未満である場合、推薦番組選択部１０９は、最大番組数に対して、算出した学習度合いを乗算して得られた数の番組を、個人嗜好推薦番組選択部１１３により選択された番組の中から推薦番組として選択する。さらに、推薦番組選択部１０９は、最大番組数に対して、１から学習度合いを減算した値を乗算して得られた数の番組を、非個人嗜好推薦番組選択部１１５により選択された番組の中から推薦番組として選択する。なお、算出された学習度合いがゼロである場合、推薦番組選択部１０９は、非個人嗜好推薦番組選択部１１５により選択された番組のみから、推薦番組を選択する。
【００２９】
上述した例では、推薦番組選択部１０９は、予め設定された最大番組数内において、取得した操作履歴の件数が増えるに従い、推薦番組として選択する嗜好情報に基づく番組の数を増やしたり、推薦番組として選択する嗜好情報に基づく番組に数の比率を上げたりしている。言い換えると、推薦番組選択部１０９は、予め設定された最大番組数内において、学習度合いに応じて、推薦番組として選択する嗜好情報に基づく番組の比率を変更しているが、これに限定するものではない。推薦番組選択部１０９は、推薦番組を選択可能な番組数の上限（すなわち、最大番組数）を設けずに、取得した操作履歴の件数が増えるに従い、推薦番組として選択する嗜好情報に基づく番組の数を増やしたり、推薦番組として選択する嗜好情報に基づく番組の数の比率を上げたりしても良い。具体的には、推薦番組選択部１０９は、個人嗜好推薦番組選択部１１３によって選択された番組から、その番組総数に対して学習度合いを比率として乗算した件数を推薦番組として選択し、非個人嗜好推薦番組選択部１１５により選択された番組から、その番組総数に対して１から学習度合いを減算した値（１−学習度合い）を比率として乗算した件数を推薦番組として選択する。例えば、学習度合いが０．７であり、個人嗜好推薦番組選択部１１３により選択された番組の数が１００件であり、非個人嗜好推薦番組選択部１１５により選択された番組の数が５０件である場合、推薦番組選択部１０９は、個人嗜好推薦番組選択部１１３により選択された番組から、１００×０．７＝７０件を推薦番組として選択し、非個人嗜好推薦番組選択部１１５により選択された番組から、５０×（１−０．７）＝１５件を推薦番組として選択する。すなわち、推薦番組選択部１０９は、合計８５件の推薦番組を選択する。
【００３０】
なお、個人嗜好推薦番組選択部１１３および非個人嗜好推薦番組選択部１１５により選択された番組から学習度合いに応じた件数の番組を選択する際の選択順序は、予め設定された推薦度が高い番組から選択しても良いし、番組放送日時の昇順または降順に従って選択しても良い。さらに、推薦度合いが高い番組から選択するか、若しくは番組放送日時に昇順または降順に従って選択するかなどの選択順序を、ユーザが任意に選択できるようにしても良い。本実施形態では、推薦度や番組放送日時などの順序を付与可能な番組の情報に基づいて選択順序を定めれば良く、特定の情報による選択順序を定めることに限定するものではない。
【００３１】
そして、推薦番組提示部１１６は、推薦番組取得部１０８を介して、推薦番組選択部１０９により選択された推薦番組を取得し、取得した推薦番組をＬＣＤパネル３に表示させる（ステップＳ３１０）。これにより、デジタルテレビジョン１００は、ユーザに対して推薦番組を提示することができる。
【００３２】
図４は、本実施形態にかかるデジタルテレビジョンにおける推薦番組の表示例を示す図である。図４に示すように、推薦番組提示部１１６は、視聴中の放送番組の映像に重ねてＬＣＤパネル３に対して推薦番組リストＬを表示する。推薦番組リストＬには、選択された推薦番組の内容（放送日時、チャンネル、タイトル、番組内容など）ｎが番組情報記憶部１１４に記憶されたＥＩＴ（番組表データ）から取得されて一覧表示される。また、推薦番組リストＬから、図示しないリモートコントローラ等で番組が選択されると、選択された推薦番組の操作確認ダイアログＤが表示される。選択された番組が録画番組であれば視聴確認となり、放送予定番組であれば録画・視聴予約確認となる。操作確認ダイアログＤ上にはユーザが視聴あるいは録画・視聴予約するか否かを意思表示するためのボタンｂ１，ｂ２が表示される。これらのボタンｂ１，ｂ２は、図示しないリモートコントローラ等により操作される。なお、推薦番組の表示（提示）方法は、図４に示す表示例に限定されるものではなく、例えば、推薦番組リストＬはＬＣＤパネル３の画面全体に表示しても良い。
【００３３】
番組提案メッセージにＭに含まれるメッセージｍとしては、番組視聴中は「まもなく始まります」、ザッピング中は「あなたにおすすめの番組があります」、番組ＯＦＦ時には「今日、あなたにおすすめの番組があります」などが挙げられる。
【００３４】
このように、本実施形態のデジタルテレビジョン１００によれば、店頭に展示されている機器あるいは購入直後の機器においても番組の推薦を行うことができる。
【００３５】
なお、本実施形態のデジタルテレビジョン１００で実行されるプログラムは、ＲＯＭ（Read  Only  Memory）等に予め組み込まれて提供される。また、本実施形態のデジタルテレビジョン１００で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００３６】
さらに、本実施形態のデジタルテレビジョン１００で実行されるプログラムを、インターネット等のネットワークに接続されたコンピュータ上に格納し、ネットワーク経由でダウンロードさせることにより提供するように構成しても良い。また、本実施形態のデジタルテレビジョン１００で実行されるプログラムをインターネット等のネットワーク経由で提供または配布するように構成しても良い。
【００３７】
本実施形態のデジタルテレビジョン１００で実行されるプログラムは、上述した各部（ユーザ操作入力部１０１、ユーザ操作処理部１０２、操作履歴管理部１０３、個人嗜好学習部１０５、個人嗜好学習結果管理部１０６、推薦番組取得部１０８、推薦番組選択部１０９、学習度合い算出部１１０、操作履歴情報取得部１１１、個人嗜好学習情報取得部１１２、個人嗜好推薦番組選択部１１３、非個人嗜好推薦番組選択部１１５および推薦番組提示部１１６）を含むモジュール構成となっており、実際のハードウェアとしてはＣＰＵ（プロセッサ）が上記ＲＯＭからプログラムを読み出して実行することにより上記各部が主記憶装置上にロードされ、ユーザ操作入力部１０１、ユーザ操作処理部１０２、操作履歴管理部１０３、個人嗜好学習部１０５、個人嗜好学習結果管理部１０６、推薦番組取得部１０８、推薦番組選択部１０９、学習度合い算出部１１０、操作履歴情報取得部１１１、個人嗜好学習情報取得部１１２、個人嗜好推薦番組選択部１１３、非個人嗜好推薦番組選択部１１５および推薦番組提示部１１６が主記憶装置上に生成されるようになっている。
【００３８】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態は、発明の範囲や要旨に含まれるとともに、特許請求の範囲に記載された発明とその均等の範囲に含まれる。
【符号の説明】
【００３９】
１００・・・デジタルテレビジョン、１０１・・・ユーザ操作入力部、１０２・・・ユーザ操作処理部、１０３・・・操作履歴管理部、１０４・・・操作履歴記憶部、１０５・・・個人嗜好学習部、１０６・・・個人嗜好学習結果管理部、１０７・・・学習結果記憶部、１０８・・・推薦番組取得部、１０９・・・推薦番組選択部、１１０・・・学習度合い算出部、１１１・・・操作履歴情報取得部、１１２・・・個人嗜好学習情報取得部、１１３・・・個人嗜好推薦番組選択部、１１４・・・番組情報記憶部、１１５・・・非個人嗜好推薦番組選択部、１１６・・・推薦番組提示部、２・・・筐体、３・・ＬＣＤパネル、４・・・支持部。
【図１】
2014050053.tif 000003
【図２】
2014050053.tif 000004
【図３】
2014050053.tif 000005
【図４】
2014050053.tif 000006